【手続補正書】
【提出日】平成20年9月3日(2008.9.3)
【手続補正１】
【補正対象書類名】明細書
【補正対象項目名】特許請求の範囲
【補正方法】変更
【補正の内容】
【特許請求の範囲】
【請求項１】 
画像処理装置であって、プログラム及び前記プログラムの対応機情報をネットワークから受信する受信手段と、前記プログラムの対応機情報に基づいて前記プログラムの前記画像処理装置への実装が可能であるかを判定する判定手段とを備えた画像処理装置。
【請求項２】 
前記受信手段に代えて、プログラム及び前記プログラムの対応機情報を記憶媒体から読み取る読取り手段を備えた請求項１に記載の画像処理装置。
【請求項３】
画像処理装置の識別情報を記憶する記憶部と、前記記憶部に記憶された識別情報及び前記プログラムの対応機情報を照合する照合手段とを備えたことを特徴とする請求項１又は２に記載の画像処理装置。
【請求項４】
前記判定手段は、前記記憶部に記憶された識別情報に基づいて前記判定を行うことを特徴とする請求項１〜３のいずれかに記載の画像処理装置。
【請求項５】 
前記プログラムを前記画像処理装置に実装する実装手段を備え、前記実装手段は前記判定手段が前記プログラムの実装が可能であると判断したときに前記プログラムを実装することを特徴とする請求項１〜４のいずれかに記載の画像処理装置。
【請求項６】
前記プログラムの実装が可能でない旨のメッセージを送信する送信手段を備え、前記送信手段は、前記判定手段がプログラムの実装が可能でないと判断したときに前記メッセージを送信することを特徴とする請求項１〜５のいずれかに記載の画像処理装置。
【請求項７】
前記画像処理装置が画像処理アプリケーションを実行する画像処理装置であって、前記画像処理アプリケーションがプリント処理、複写処理、ファクシミリ処理、またはファイル管理であることを特徴とする請求項１〜６のいずれかに記載の画像処理装置。
【請求項８】
前記プログラムを用いて、前記画像処理アプリケーションを実行することができることを特徴とする請求項７に記載の画像処理装置。
【請求項９】
複数の個別画像処理プログラムを用いて画像処理アプリケーションを実行するための個別画像処理プログラムを実装するプログラム実装方法において、ネットワークを介して画像処理装置へ前記個別画像処理プログラムを転送する際、その個別画像処理プログラムがその画像処理装置内の処理手段を用いて動作することが可能か否かをその画像処理装置で判定し、動作可能であるならばその画像処理装置に転送される前記個別画像処理プログラムを実装することを特徴とするプログラム実装方法。
【請求項１０】
請求項９記載のプログラム実装方法において、個別画像処理プログラムを転送する前にその個別画像処理プログラムが動作可能か否かを判定し、動作可能であるときのみ、その個別画像処理プログラムを画像処理装置へ転送することを特徴とするプログラム実装方法。
【請求項１１】
複数の個別画像処理プログラムにより画像処理アプリケーションを実行するための個別画像処理プログラムを実装するプログラム実装方法において、装着された記憶媒体から個別画像処理プログラムを読み取る際、その個別画像処理プログラムがその画像処理装置内の処理手段を用いて動作することが可能か否かを判定し、動作可能であるならばその個別画像処理プログラムを実装することを特徴とするプログラム実装方法。
【請求項１２】
請求項９、請求項１０、または請求項１１記載のプログラム実装方法において、個別画像処理プログラムが動作可能か否かを、個々の画像処理装置を示す識別情報を認識することにより判定することを特徴とするプログラム実装方法。
【請求項１３】
請求項９、請求項１０、または請求項１１記載のプログラム実装方法において、実装しようとする個別画像処理プログラムが動作可能でないと判定された場合、その旨を通知することを特徴とするプログラム実装方法。
【請求項１４】
請求項９乃至請求項１３記載のいずれかのプログラム実装方法において、複数の個別画像処理プログラムとして画像データを圧縮する圧縮処理プログラム、圧縮データを伸張する伸張処理プログラム、画像データの周波数伝達特性を調整するフィルタ処理プログラム、画像データ中の画像属性を判定する像域分離処理プログラム、画像の変倍または密度変換を行う変倍処理プログラム、階調特性を調整するγ変換処理プログラム、表示色を画像形成装置の出力色に変換する色変換処理プログラム、および画像データを画像形成手段で表現可能な中間調データに変換する中間調処理プログラムのうちの少なくとも２つを含むことを特徴とするプログラム実装方法。
【請求項１５】
請求項９乃至請求項１４記載のいずれかのプログラム実装方法において、画像処理アプリケーションが、プリント処理、複写処理、ファクシミリ処理、またはファイル管理であることを特徴とするプログラム実装方法。
【請求項１６】
プログラムを記憶した記憶媒体において、請求項９乃至請求項１５記載のプログラム実装方法のいずれかに従ってプログラミングしたプログラムを記憶したことを特徴とする記憶媒体。
【請求項１７】
複数の個別画像処理プログラムを用いて複数の画像処理アプリケーションを実行することができる画像処理装置において、画像処理を行う画像処理手段と、画像処理手段を複数の画像処理アプリケーション実行に際して共有可能とする機能選択手段と、画像処理手段において動作する画像処理内容を追加ないし更新する画像処理内容変更手段と、追加ないし更新する画像処理内容が動作可能かどうかを判定する動作判定手段を有し、画像処理内容の追加ないし更新を可能としたことを特徴とする画像処理装置。
【請求項１８】
請求項１７記載の画像処理装置において、その画像処理内容が、画像処理内容を記述する画像処理手順と画像処理手順において用いる画像処理パラメータであることを特徴とする画像処理装置。
【請求項１９】
請求項１７記載の画像処理装置において、その画像処理内容更新手段が、画像処理手順の更新に伴い、画像処理パラメータを更新することを特徴とする画像処理装置。
【請求項２０】
請求項１７記載の画像処理装置において、その画像処理内容更新手段が、画像処理手順の更新に際して画像処理パラメータの更新が必要かどうかを判定する画像処理パラメータ更新判定手段を有し、画像処理パラメータの更新が必要と判定された場合は、画像処理パラメータの更新を行うことを特徴とする画像処理装置。
【請求項２１】
請求項２０記載の画像処理装置において、前記画像処理パラメータ更新判定手段が、画像処理パラメータの更新が必要か否かを、画像入出力機器固有識別情報により判定することを特徴とする画像処理装置。
【請求項２２】
前記画像処理手順の更新に伴い更新する画像処理パラメータは、画像入出力機器に固有な画像処理パラメータであることを特徴とする請求項１８乃至請求項２０のいずれかに記載の画像処理装置。
【請求項２３】
前記画像処理内容の更新は、通信手段を介して外部からリモート更新を行うことを特徴とする請求項１７乃至請求項２０のいずれかに記載の画像処理装置。
【請求項２４】
前記画像処理内容の更新は、通信手段を介して外部のサーバからソフトウエアをダウンロードして行うことを特徴とする請求項１７乃至請求項２０のいずれかに記載の画像処理装置。
【請求項２５】
請求項２３または２４記載の画像処理装置において、前記通信手段は、インターネットであることを特徴とする画像処理装置。
【請求項２６】
前記通信手段が、携帯端末とインターネットであることを特徴とする請求項２３または２４記載の画像処理装置。
【請求項２７】
複数の個別画像処理プログラムを用いて複数の画像処理アプリケーションを実行することができる画像処理装置における画像処理方法において、画像入出力機器における画像処理を行う画像処理手段と、画像処理手段を複数の機能から共有可能とする機能選択手段と、画像処理手段で動作する画像処理内容を追加ないし更新する画像処理内容変更手段と、追加ないし更新する画像処理内容が動作可能かどうかを判定する動作判定手段を有し、画像処理内容の追加ないし更新を可能としたことを特徴とする画像処理方法。
【請求項２８】
請求項２７記載の画像処理方法において、その画像処理内容が、画像処理内容を記述する画像処理手順と画像処理手順で用いる画像処理パラメータであることを特徴とする画像処理方法。
【請求項２９】
請求項２７記載の画像処理方法において、その画像処理内容更新手段が、画像処理手順の更新に際し画像処理パラメータを更新することを特徴とする画像処理方法。
【請求項３０】
請求項２７記載の画像処理方法において、その画像処理内容更新手段が、画像処理手順の更新に際し画像処理パラメータの更新が必要かどうかを判定する画像処理パラメータ更新判定手段を有し、画像処理パラメータの更新が必要と判定された場合は、画像処理パラメータの更新を行うことを特徴とする画像処理方法。
【請求項３１】
請求項３０記載の画像処理方法において、そのパラメータ更新判定手段が、画像処理パラメータの更新が必要か否かを、画像入出力機器固有の識別情報により判定することを特徴とする画像処理方法。
【請求項３２】
前記画像処理手順の更新に伴い更新する画像処理パラメータが、画像入出力機器に固有な画像処理パラメータであることを特徴とする請求項２８乃至請求項３０のいずれかに記載の画像処理方法。
【請求項３３】
画像処理内容の更新は、通信手段を介して外部からリモート更新を行うことを特徴とする請求項２７乃至請求項３０のいずれかに記載の画像処理方法。
【請求項３４】
画像処理内容の更新は、通信手段を介して外部のサーバからソフトウエアをダウンロードして行うことを特徴とする請求項２７乃至請求項３０のいずれかに記載の画像処理方法。
【請求項３５】
前記通信手段が、インターネットであることを特徴とする請求項３３または３４記載の画像処理方法。
【請求項３６】
前記通信手段が、携帯端末とインターネットであることを特徴とする請求項３４記載の画像処理方法。
【請求項３７】
請求項２７乃至請求項３６記載のいずれか一つの画像処理方法を記述したことを特徴とするプログラム。
【請求項３８】
請求項３７記載のプログラムを記憶したことを特徴とする記憶媒体。
【手続補正２】
【補正対象書類名】明細書
【補正対象項目名】０００５
【補正方法】変更
【補正の内容】
【０００５】
【課題を解決するための手段】
前記の課題を解決するために、本発明の一形態では、画像処理装置であって、プログラム及び前記プログラムの対応機情報をネットワークから受信する受信手段と、前記プログラムの対応機情報に基づいて前記プログラムの前記画像処理装置への実装が可能であるかを判定する判定手段とを備えることを特徴とする。また、本発明の一形態では、前記受信手段に代えて、プログラム及び前記プログラムの対応機情報を記憶媒体から読み取る読取り手段を備えることを特徴とする。また、本発明の一形態では、上記構成に加えて、画像処理装置の識別情報を記憶する記憶部と、前記記憶部に記憶された識別情報及び前記プログラムの対応機情報を照合する照合手段とを備えることを特徴とする。また、本発明の一形態では、前記判定手段は、前記記憶部に記憶された識別情報に基づいて前記判定を行うことを特徴とする。また、本発明の一形態では、上記構成に加えて、前記プログラムを前記画像処理装置に実装する実装手段を備え、前記実装手段は前記判定手段が前記プログラムの実装が可能であると判断したときに前記プログラムを実装することを特徴とする。また、本発明の一形態では、上記構成に加えて、前記プログラムの実装が可能でない旨のメッセージを送信する送信手段を備え、前記送信手段は、前記判定手段がプログラムの実装が可能でないと判断したときに前記メッセージを送信することを特徴とする。また、本発明の一形態では、前記画像処理装置が画像処理アプリケーションを実行する画像処理装置であって、前記画像処理アプリケーションがプリント処理、複写処理、ファクシミリ処理、またはファイル管理であることを特徴とする。また、本発明の一形態では、前記プログラムを用いて、前記画像処理アプリケーションを実行することができることを特徴とする。
【手続補正３】
【補正対象書類名】明細書
【補正対象項目名】０００６
【補正方法】変更
【補正の内容】
【０００６】
また、本発明の一形態では、複数の個別画像処理プログラムを用いて画像処理アプリケーションを実行するための個別画像処理プログラムを実装するプログラム実装方法において、ネットワークを介して画像処理装置へ前記個別画像処理プログラムを転送する際、その個別画像処理プログラムがその画像処理装置内の処理手段を用いて動作することが可能か否かをその画像処理装置で判定し、動作可能であるならばその画像処理装置に転送される前記個別画像処理プログラムを実装するように構成にしたことを特徴とする。また、本発明の一形態では、上記一形態において、個別画像処理プログラムを転送する前にその個別画像処理プログラムが動作可能か否かを判定し、動作可能であるときのみ、その個別画像処理プログラムを画像処理装置へ転送するように構成にしたことを特徴とする。また、本発明の一形態では、複数の個別画像処理プログラムにより画像処理アプリケーションを実行するための個別画像処理プログラムを実装するプログラム実装方法において、装着された記憶媒体から個別画像処理プログラムを読み取る際、その個別画像処理プログラムがその画像処理装置内の処理手段を用いて動作することが可能か否かを判定し、動作可能であるならばその個別画像処理プログラムを実装するように構成にしたことを特徴とする。また、本発明の一形態では、上記一形態において、個別画像処理プログラムが動作可能か否かを、個々の画像処理装置を示す識別情報を認識することにより判定するように構成にしたことを特徴とする。また、本発明の一形態では、上記一形態において、実装しようとする個別画像処理プログラムが動作可能でないと判定された場合、その旨を通知するように構成にしたことを特徴とする。
【手続補正４】
【補正対象書類名】明細書
【補正対象項目名】０００７
【補正方法】変更
【補正の内容】
【０００７】
また、本発明の一形態では、上記一形態において、複数の個別画像処理プログラムとして、画像データを圧縮する圧縮処理プログラム、圧縮データを伸張する伸張処理プログラム、画像データの周波数伝達特性を調整するフィルタ処理プログラム、画像データ中の画像属性を判定する像域分離処理プログラム、画像の変倍または密度変換を行う変倍処理プログラム、階調特性を調整するγ変換処理プログラム、表示色を画像形成装置の出力色に変換する色変換処理プログラム、および画像データを画像形成手段で表現可能な中間調データに変換する中間調処理プログラムのうちの少なくとも２つを含むことを特徴とする。また、本発明の一形態では、上記一形態において、画像処理アプリケーションが、プリント処理、複写処理、ファクシミリ処理、またはファイル管理であることを特徴とする。また、本発明の一形態では、プログラムを記憶した記憶媒体において、上記プログラム実装方法のいずれかに従ってプログラミングしたプログラムを記憶したことを特徴とする。本発明の一形態の画像処理装置では、複数の個別画像処理プログラムを用いて画像処理アプリケーションを実行することができる画像処理装置において、画像入出力機器における画像処理を行う画像処理手段と、画像処理手段を複数の機能から共有可能とする機能選択手段と、画像処理手段で動作する画像処理内容を追加ないし更新する画像処理内容変更手段と、追加ないし更新する画像処理内容が動作可能かどうかを判定する動作判定手段を有し、画像処理内容の追加ないし更新を可能としたことを特徴とする。
【手続補正５】
【補正対象書類名】明細書
【補正対象項目名】０００８
【補正方法】変更
【補正の内容】
【０００８】
また、本発明の一形態では、上記一形態の画像処理装置において、その画像処理内容が、画像処理内容を記述する画像処理手順と画像処理手順で用いる画像処理パラメータであることを特徴とする。また、本発明の一形態では、上記画像処理内容更新手段が、画像処理手順の更新に伴い、画像処理パラメータを更新することを特徴とする。また、本発明の一形態では、上記画像処理内容更新手段が、画像処理手順の更新に伴い、画像処理パラメータの更新が必要かどうかを判定する画像処理パラメータ更新判定手段を有し、画像処理パラメータの更新が必要と判定された場合は、画像処理パラメータの更新を行うことを特徴とする。また、本発明の一形態では、上記画像処理パラメータ更新手段が、画像処理パラメータの更新が必要か否かを、画像入出力機器固有識別情報により判定することを特徴とする。また、本発明の一形態では、上記一形態の画像処理装置において、前記画像処理手順の更新に伴い更新する画像処理パラメータが、画像入出力機器に固有な画像処理パラメータであることを特徴とする。また、本発明の一形態では、上記一形態の画像処理装置において、前記画像処理内容の更新が、通信手段を介して外部からリモート更新を行うことを特徴とする。また、本発明の一形態では、上記一形態の画像処理装置において、前記画像処理内容の更新が、通信手段を介して外部のサーバからソフトウエアをダウンロードして行うことを特徴とする。また、本発明の一形態では、上記一形態の画像処理装置において、前記通信手段が、インターネットであることを特徴とする。また、本発明の一形態では、上記一形態の画像処理装置において、前記通信手段が、携帯端末とインターネットであることを特徴とする。
【手続補正６】
【補正対象書類名】明細書
【補正対象項目名】０００９
【補正方法】変更
【補正の内容】
【０００９】
また、本発明の一形態の画像処理方法では、画像入出力機器における画像処理を行う画像処理手段と、画像処理手段を複数の機能から共有可能とする機能選択手段と、画像処理手段で動作する画像処理内容を追加ないし更新する画像処理内容変更手段と、追加ないし更新する画像処理内容が動作可能かどうかを判定する動作判定手段を有し、画像処理内容の追加ないし更新可能としたことを特徴とする。また、本発明の一形態では、上記一形態の画像処理方法において、その画像処理内容が、画像処理内容を記述する画像処理手順と画像処理手順で用いる画像処理パラメータであることを特徴とする。また、本発明の一形態では、上記一形態の画像処理方法において、その画像処理内容更新手段が、画像処理手順の更新に伴い、画像処理パラメータを更新することを特徴とする。また、本発明の一形態では、上記一形態の画像処理方法において、その画像処理内容更新手段が、画像処理手順の更新に伴い、画像処理パラメータの更新が必要かどうかを判定する画像処理パラメータ更新判定手段を有し、画像処理パラメータの更新が必要と判定された場合は、画像処理パラメータの更新を行うことを特徴とする。また、本発明の一形態では、上記一形態の画像処理方法において、その画像処理パラメータ更新判定手段が、画像処理パラメータの更新が必要か否かを、画像入出力機器固有の識別情報により判定することを特徴とする。
【手続補正７】
【補正対象書類名】明細書
【補正対象項目名】００１０
【補正方法】変更
【補正の内容】
【００１０】
また、本発明の一形態では、上記一形態の画像処理方法において、前記画像処理手順の更新に伴い更新する画像処理パラメータが、画像入出力機器に固有な画像処理パラメータであることを特徴とする。また、本発明の一形態では、上記一形態の画像処理方法において、その画像処理内容の更新が、通信手段を介して外部からリモート更新を行うことを特徴とする。また、本発明の一形態では、上記一形態の画像処理方法において、その画像処理内容の更新は、通信手段を介して外部のサーバからソフトウエアをダウンロードして行うことを特徴とする。また、本発明の一形態では、上記一形態の画像処理方法において、前記通信手段が、インターネットであることを特徴とする。また、本発明の一形態では、上記一形態の画像処理方法において、前記通信手段が、携帯端末とインターネットであることを特徴とする。また、本発明の一形態では、上記いずれか一つの画像処理方法を記述したプログラムであることを特徴とする。また、本発明の一形態では、上記プログラムを記憶した記憶媒体であることを特徴とする。
【手続補正８】
【補正対象書類名】明細書
【補正対象項目名】００１１
【補正方法】変更
【補正の内容】
【００１１】
【作用】
本発明は上述したように構成したので、本発明の一形態では、画像処理装置の個別画像処理プログラムを追加または更新する際、追加または更新される個別画像処理プログラムの動作を可能にする処理手段がその画像処理装置にあるか否かがその画像処理装置において判定される。また、本発明の一形態では、上記一形態において、処理手段がデジタルシグナルプロセッサで構成される。また、本発明の一形態では、上記一形態において、画像処理アプリケーションの実行時に、実行される画像処理アプリケーションに対応づけて複数の個別画像処理プログラム中の一部が選択される。また、本発明の一形態では、個別画像処理プログラムがネットワークを介して画像処理装置へ転送される際、その個別画像処理プログラムがその画像処理装置内の処理手段を用いて動作することが可能か否かがその画像処理装置で判定され、動作可能であるならばその画像処理装置に転送される個別画像処理プログラムが実装される。また、本発明の一形態では、上記一形態において、個別画像処理プログラム転送前に、その個別画像処理プログラムが動作可能か否かが判定され、動作可能であるときのみ、その個別画像処理プログラムが画像処理装置へ転送される。また、本発明の一形態では、画像処理装置に装着された記憶媒体から個別画像処理プログラムを読み取る際、その個別画像処理プログラムがその画像処理装置内の処理手段を用いて動作することが可能か否かが判定され、動作可能であるならばその個別画像処理プログラムが実装される。
【手続補正９】
【補正対象書類名】明細書
【補正対象項目名】００１２
【補正方法】変更
【補正の内容】
【００１２】
また、本発明の一形態では、上記一形態において、個別画像処理プログラムが動作可能か否かが、個々の画像処理装置を示す識別情報を認識することにより判定される。また、本発明の一形態では、上記一形態において、実装しようとする個別画像処理プログラムが動作可能でないと判定された場合、その旨が利用者に通知される。また、本発明の一形態では、上記一形態において、複数の個別画像処理プログラムとして、画像データを圧縮する圧縮処理プログラム、圧縮データを伸張する伸張処理プログラム、画像データの周波数伝達特性を調整するフィルタ処理プログラム、画像データ中の画像属性を判定する像域分離処理プログラム、画像の変倍または密度変換を行う変倍処理プログラム、階調特性を調整するγ変換処理プログラム、表示色を画像形成装置の出力色に変換する色変換処理プログラム、および画像データを画像形成手段で表現可能な中間調データに変換する中間調処理プログラムのうちの少なくとも２つが含まれる。また、本発明の一形態では、上記一形態において、更新・追加される個別画像処理プログラムを用いて、プリント処理、複写処理、ファクシミリ処理、またはファイル管理を行うことができる。また、本発明の一形態では、上記一形態のプログラム実装方法のいずれかに従ってプログラミングしたプログラムが例えば着脱可能な記憶媒体に記憶される。
【手続補正１０】
【補正対象書類名】明細書
【補正対象項目名】００１３
【補正方法】変更
【補正の内容】
【００１３】
また、本発明の一形態の画像処理装置または方法は、画像処理手段を複数の機能において共有可能とする画像処理装置または方法において、追加ないし更新する画像処理内容が動作可能かどうかを判定するので、個々の画像処理装置において確実に動作し得る処理内容の処理変更、更新や追加を行うことができる。また、本発明の一形態の画像処理装置および画像処理方法では、上記一形態の画像処理装置または画像処理方法において、その画像処理内容が、画像処理内容を記述する画像処理手順と画像処理手順で用いる画像処理パラメータであるので、パラメータを含めた変更や追加、もしくはパラメータの更新変更のみでの機能追加が可能である。また、本発明の一形態の画像処理装置および画像処理方法では、画像処理内容の更新を、通信手段を介して外部からリモート更新することができる。また、本発明の一形態の画像処理装置および画像処理方法では、画像処理内容の更新を通信手段を介して外部のサーバからソフトウエアをダウンロードして行うことができる。また、本発明の一形態の画像処理装置および画像処理方法では、画像処理内容の更新を通信手段を介して外部のサーバからソフトウエアをダウンロード、リモート制御する際に、インターネットを使用することができる。また、本発明の一形態の画像処理装置および画像処理方法では、画像処理内容の更新を通信手段として、携帯端末とインターネットを使用することができる。また、本発明の一形態では、上記画像処理方法を記述したプログラムを提供することができる。
【手続補正１１】
【補正対象書類名】明細書
【補正対象項目名】００３９
【補正方法】変更
【補正の内容】
【００３９】
【発明の効果】
本発明は上述したように構成したので、本発明の一形態では、画像処理装置の個別画像処理プログラムを追加または更新する際、追加または更新される個別画像処理プログラムの動作を可能にする処理手段をその画像処理装置に備えられているか否かを、実際にプログラムを実装することなく像処理装置において判定することができる。また、本発明の一形態では、上記一形態において、処理手段がデジタルシグナルプロセッサで構成されるので、具体的に実施する際に、高価な手段を必要としない。また、個別プログラムを高速で実行可能となり、そのプログラミングが容易となる。また、本発明の一形態では、上記一形態において、画像処理アプリケーションの実行時に、実行される画像処理アプリケーションに対応づけて複数の個別画像処理プログラム中の一部が選択されるので、共通の処理手段を用いて複数の画像処理アプリケーションを容易に実現することができる。また、本発明の一形態では、個別画像処理プログラムがネットワークを介して画像処理装置へ転送される際、その個別画像処理プログラムがその画像処理装置内の処理手段を用いて動作することが可能か否かがその画像処理装置で判定され、動作可能である場合、その画像処理装置に転送される個別画像処理プログラムが実装されるので、動作が不可能な機能拡張や全く新しい機能を組み込むといった無用の作業を排除することができる。また、作業者が現地に出向くことなく自動的にプログラムの変更、修正、追加が可能となる。また、本発明の一形態では、上記一形態において、個別画像処理プログラム転送前に、その個別画像処理プログラムが動作可能か否かが判定され、動作可能であるときのみ、その個別画像処理プログラムが画像処理装置へ転送されるので、動作が不可能な機能拡張や全く新しい機能を組み込むといった無用の作業を排除することができる。また、作業者が現地に出向くことなく自動的にプログラムの変更、修正、追加が可能となる。
【手続補正１２】
【補正対象書類名】明細書
【補正対象項目名】００４０
【補正方法】変更
【補正の内容】
【００４０】
また、本発明の一形態では、画像処理装置に装着された記憶媒体から個別画像処理プログラムを読み取る際、その個別画像処理プログラムがその画像処理装置内の処理手段を用いて動作することが可能か否かが判定され、動作可能であるならばその個別画像処理プログラムが実装されるので、画像処理装置に実装された記憶媒体から個別プログラムを読み取る場合においても上記一形態と同様の効果を得ることができる。また、本発明の一形態では、上記一形態において、個別画像処理プログラムが動作可能か否かが、個々の画像処理装置を示す識別情報を認識することにより判定されるので、判定が容易である。また、本発明の一形態では、上記一形態において、実装しようとする個別画像処理プログラムが動作可能でないと判定された場合、その旨が利用者に通知されるので、動作が不可能な機能拡張や全く新しい機能を組み込むといった無用の作業を排除することができる。また、本発明の一形態では、上記一形態において、複数の個別画像処理プログラムとして画像データを圧縮する圧縮処理プログラム、圧縮データを伸張する伸張処理プログラム、画像データの周波数伝達特性を調整するフィルタ処理プログラム、画像データ中の画像属性を判定する像域分離処理プログラム、画像の変倍または密度変換を行う変倍処理プログラム、階調特性を調整するγ変換処理プログラム、表示色を画像形成装置の出力色に変換する色変換処理プログラム、および画像データを画像形成手段で表現可能な中間調データに変換する中間調処理プログラムのうちの少なくとも２つが含まれるので、通常のＭＦＰにおいて使用される機能プログラムに関して、上記一形態の効果を得ることができる。また、本発明の一形態では、上記一形態において、更新・追加される個別画像処理プログラムを用いて、プリント処理、複写処理、ファクシミリ処理、またはファイル管理を行うことができる。
【手続補正１３】
【補正対象書類名】明細書
【補正対象項目名】００４１
【補正方法】変更
【補正の内容】
【００４１】
また、本発明の一形態では、上記プログラム実装方法のいずれかに従ってプログラミングしたプログラムが例えば着脱可能な記憶媒体に記憶されるので、その記憶媒体を従来のパーソナルコンピュータなど情報処理装置に装着することにより、上記一形態を実施することができ、各発明の効果を得ることができる。また、本発明の一形態の画像処理装置または方法は、画像処理手段を複数の機能から共有可能とする手段と、追加ないし更新する画像処理内容が動作可能かどうかを判定する手段を備えたので、個々の画像処理装置において確実に動作し得る処理内容の処理変更、更新や追加を行うことができる。また、本発明の一形態の画像処理装置および画像処理方法では、上記一形態の画像処理装置または画像処理方法において、その画像処理内容が、画像処理内容を記述する画像処理手順と画像処理手順で用いる画像処理パラメータであるので、必要なパラメータの変更や追加、更新も実施することができる。また、その変更がパラメータのみで機能追加が可能である場合にも対応可能となる。また、本発明の一形態の画像処理装置および画像処理方法では、画像処理内容の更新を、通信手段を介して外部からリモート更新することができる。また、本発明の一形態の画像処理装置および画像処理方法では、画像処理内容のパラメータを含む更新を、通信手段を介して外部のサーバからソフトウエアをダウンロードして行うことができる。また、本発明の一形態の画像処理装置および画像処理方法では、画像処理内容のパラメータを含む更新を、通信手段を介して外部のサーバからソフトウエアをダウンロード、リモート制御する際に、インターネットを使用することができる。また、本発明の一形態の画像処理装置および画像処理方法では、画像処理内容のパラメータを含む更新を、通信手段として、携帯端末とインターネットを使用することができる。また、本発明の一形態の画像処理装置および画像処理方法では、上記画像処理方法を記述したプログラムを提供することができ、また、この記憶媒体を使用することによって、既存のＰＣ等において本発明を実施することが可能となる。